(57)【要約】【課題】ヒートシンクまたは冷却ファンに付着した埃を容易に取り除くことができる電子機器を提供する。【解決手段】電子機器１は、ヒートシンク２３と、筐体５と、カバー４１とを具備した。筐体５は、ヒートシンク２３を収容するとともに、第１の壁部６と、ヒートシンク２３に対して第１の壁部６とは反対側に位置した第２の壁部８と、第１および第２の壁部６，８の間に延びた第３の壁部１６と、第３の壁部１６に跨って第１および第２の壁部６，８に亘って切り欠かれた開口部３１とを有している。カバー４１は、第１の壁部６に合わされ、ヒートシンク２３の少なくとも一部に対向した第１の部分４１ａと、第２の壁部８に合わされ、第１の部分４１ａとは反対側からヒートシンク２３の少なくとも一部に対向した第２の部分４１ｂと、第３の壁部１６に合わされた第３の部分４１ｃとを有している。【選択図】      図５
2010224587.tif 000002
【特許請求の範囲】
【請求項１】
ヒートシンクと、
前記ヒートシンクを収容するとともに、第１の壁部と、前記ヒートシンクに対して前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記ヒートシンクの少なくとも一部を外部に露出させる開口部とを有した筐体と、
前記開口部に着脱自在に取り付けられたカバーであって、前記第１の壁部に合わされ、前記ヒートシンクの少なくとも一部に対向した第１の部分と、前記第２の壁部に合わされ、前記第１の部分とは反対側から前記ヒートシンクの少なくとも一部に対向した第２の部分と、前記第３の壁部に合わされた第３の部分とを有したカバーと、
を具備したことを特徴とする電子機器。
【請求項２】
請求項１の記載において、
前記筐体に収容された冷却ファンを備え、
前記開口部は、前記冷却ファンの少なくとも一部を外部に露出させるように開口し、
前記カバーの第１の部分は、前記冷却ファンの少なくとも一部に対向し、前記第２の部分は、前記第１の部分とは反対側から前記冷却ファンの少なくとも一部に対向したことを特徴とする電子機器。
【請求項３】
請求項２の記載において、
前記カバーは、前記第１の壁部に係合した第１の係合部と、前記第２の壁部に係合した第２の係合部とを有し、当該カバーの弾性力で前記筐体に固定されていることを特徴とする電子機器。
【請求項４】
請求項３の記載において、
前記カバーは、通風孔部と、前記通風孔部に取り付けられた防塵フィルタとを有したことを特徴とする電子機器。
【請求項５】
請求項１の記載において、
前記筐体に載置されたキーボードを備え、
前記カバーの第１の部分は、前記キーボードの下方に位置し、前記キーボードの一部を支持したことを特徴とする電子機器。
【請求項６】
請求項１の記載において、
前記筐体は、前記第３の壁部に隣接して前記第１の壁部と前記第２の壁部との間に延び、前記第３の壁部と協働して前記筐体の角部を形成した第４の壁部を有し、前記開口部は、前記角部を切り欠いており、
前記カバーは、前記第４の壁部に合わされ、前記第３の壁部とは異なる方向から前記ヒートシンクに対向した第４の部分を有し、前記第１の部分および前記第２の部分のそれぞれ一つの端部が前記第３の部分に支持され、前記第１の部分および前記第２の部分のそれぞれ他の一つの端部が前記第４の部分に支持されたことを特徴とする電子機器。
【請求項７】
請求項１の記載において、
前記筐体は、前記カバーを案内するガイド部を有し、
前記カバーは、前記ガイド部に沿ってスライドして前記開口部に着脱されることを特徴とする電子機器。
【請求項８】
請求項１の記載において、
前記筐体の内面と前記冷却ファンとの間の隙間に対向した堤部を有したことを特徴とする電子機器。
【請求項９】
冷却ファンと、
前記冷却ファンを収容するとともに、第１の壁部と、前記冷却ファンに対して前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記冷却ファンの少なくとも一部を外部に露出させる開口部とを有した筐体と、
前記開口部に着脱自在に取り付けられたカバーであって、前記第１の壁部に合わされ、前記冷却ファンの少なくとも一部に対向した第１の部分と、前記第２の壁部に合わされ、前記第１の部分とは反対側から前記冷却ファンの少なくとも一部に対向した第２の部分と、前記第３の壁部に合わされた第３の部分とを有したカバーと、
を具備したことを特徴とする電子機器。
【請求項１０】
請求項９の記載において、
前記カバーは、前記第１の壁部に係合した第１の爪部と、前記第２の壁部に係合した第２の爪部とを有し、当該カバーの弾性力で前記筐体に固定されていることを特徴とする電子機器。
【発明の詳細な説明】
【技術分野】
【０００１】
本発明は、冷却構造を備えた電子機器に関する。
【背景技術】
【０００２】
ノートブック型パーソナルコンピュータのような電子機器は、例えばＣＰＵを冷却するためのヒートシンクおよび冷却ファンを備える。冷却ファンは、空気とともに埃を吸い込み、その埃をヒートシンクに向けて吐出する。そのため、電子機器を長期間使用すると、冷却ファンの羽根やヒートシンクに埃が溜まる。ヒートシンクに埃が溜まると、ヒートシンクの放熱効率が低下する。
【０００３】
特許文献１には、冷却ファンの吐出口とヒートシンクとの間に集塵部材を備えた電子機器が開示されている。電子機器の底壁には開口部が形成されている。集塵部材は、上記開口部に着脱自在に装着され、冷却ファンの吐出口とヒートシンクとの間に配置される。
【先行技術文献】
【特許文献】
【０００４】
【特許文献１】特開２００７−１８９１８３号公報
【発明の概要】
【発明が解決しようとする課題】
【０００５】
ところで、特許文献１の開口部は、底壁に設けられた長方形状の孔である。このような開口部にブラシやピンセットを差し込んで清掃作業を行おうとすると、ヒートシンクなどに付着した埃を筐体のさらに内側に押し込んでしまう可能性があり、埃を容易に取り除くことができない。
【０００６】
本発明の目的は、ヒートシンクまたは冷却ファンに付着した埃を容易に取り除くことができる電子機器を提供することにある。
【課題を解決するための手段】
【０００７】
本発明の一つの形態に係る電子機器は、ヒートシンクと、筐体と、カバーとを具備した。筐体は、前記ヒートシンクを収容するとともに、第１の壁部と、前記ヒートシンクに対して前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記ヒートシンクの少なくとも一部を外部に露出させる開口部とを有している。カバーは、前記開口部に着脱自在に取り付けられている。このカバーは、前記第１の壁部に合わされ、前記ヒートシンクの少なくとも一部に対向した第１の部分と、前記第２の壁部に合わされ、前記第１の部分とは反対側から前記ヒートシンクの少なくとも一部に対向した第２の部分と、前記第３の壁部に合わされた第３の部分とを有している。
【発明の効果】
【０００８】
本発明によれば、ヒートシンクまたは冷却ファンに付着した埃を容易に取り除くことができる。
【図面の簡単な説明】
【０００９】
【図１】本発明の第１の実施形態に係る電子機器の斜視図。
【図２】図１中に示された電子機器の断面図。
【図３】図１中に示された電子機器のカバー周りの斜視図。
【図４】図１中に示された電子機器のカバーが取り付けられた状態の断面図。
【図５】図１中に示された電子機器のカバーの取り外し途中を示す断面図。
【図６】図１中に示された電子機器のカバーが取り外された状態の断面図。
【図７】本発明の第１の実施形態に係る電子機器の変形例の断面図。
【図８】本発明の第２の実施形態に係る電子機器の断面図。
【図９】本発明の第３の実施形態に係る電子機器の断面図。
【図１０】本発明の第４の実施形態に係る電子機器の断面図。
【図１１】本発明の第５の実施形態に係る電子機器の断面図。
【図１２】図１１中に示された係る電子機器のＦ１２−Ｆ１２線に沿う断面図。
【図１３】本発明の第６の実施形態に係る電子機器の斜視図。
【図１４】図１３中に示された電子機器の斜視図。
【図１５】図１３中に示された電子機器の断面図。
【図１６】本発明の第７の実施形態に係る電子機器の断面図。
【図１７】本発明の第７の実施形態に係る電子機器の変形例の断面図。
【発明を実施するための形態】
【００１０】
以下に本発明の実施の形態を、ノートブック型パーソナルコンピュータに適用した図面に基づいて説明する。  
（第１の実施形態）  
図１ないし図６は、本発明の第１の実施形態に係る電子機器１を開示している。電子機器１は、例えばノートブック型パーソナルコンピュータである。なお本発明は、上記に限定されるものではなく、携帯型電子端末や設置型コンピュータ、またはゲーム機などを含む種々の電子機器に広く適用可能である。
【００１１】
電子機器１は、本体ユニット２と、表示ユニット３と、ヒンジ部４ａ，４ｂとを備えている。本体ユニット２は、メイン基板を搭載した電子機器本体である。本体ユニット２は、扁平な箱状に形成された筐体５を有する。筐体５は、上壁６、周壁７、および下壁８（底壁）を有する。下壁８は、電子機器１を載置面（例えば机上）に置いた時に、その載置面に向かい合う壁部である。下壁８は、載置面に対して略平行になるように広がっている。
【００１２】
上壁６は、下壁８との間に空間を空けて、下壁８と略平行に広がっている。上壁６は、筐体５に載置されたキーボード９を支持している。周壁７は、下壁８に対して起立しており、下壁８の周縁部と上壁６の周縁部との間を繋いでいる。
【００１３】
図１に示すように、表示ユニット３は、ディスプレイハウジング１１と、このディスプレイハウジング１１に収容された表示装置１２とを備えている。表示装置１２は、表示画面１２ａを有する。表示画面１２ａは、ディスプレイハウジング１１の前面の開口部１１ａを通じてディスプレイハウジング１１の外部に露出している。
【００１４】
表示ユニット３は、例えば一対のヒンジ部４ａ，４ｂにより、筐体５の後端部に支持されている。表示ユニット３は、筐体５の上壁６を上方から覆うように倒される閉じ位置と、上壁６に対して立て起こされる開き位置との間で回動可能である。
【００１５】
次に、本体ユニット２の筐体５について詳しく説明する。  
筐体５の周壁７は、前壁１４、左側壁１５，右側壁１６、および後壁１７を有する。前壁１４は、筐体５のなかでヒンジ部４ａ，４ｂが設けられた端部とは反対側となる端部（前端部）に位置している。前壁１４は、筐体５の幅方向（左右方向）に延びており、電子機器１の使用時にユーザーに向かい合う。なお本明細書では、ユーザーから見て近い方を前、遠い方を後と定義するとともに、ユーザーから見た状態を基準に左右を定義している。
【００１６】
後壁１７は、筐体５のなかでヒンジ部４ａ，４ｂが設けられた端部（後端部）に位置している。後壁１７は、前壁１４と略平行に延びている。左側壁１５は、前壁１４の左端部と、後壁１７の左端部とを繋ぐように、筐体５の奥行き方向（前後方向）に延びている。右側壁１６は、前壁１４の右端部と、後壁１７の右端部とを繋ぐように、筐体５の奥行き方向（前後方向）に延びている。
【００１７】
図２および図４に示すように、筐体５には、回路基板２１、冷却ファン２２、ヒートシンク２３、および熱輸送部材２４が収容されている。回路基板２１は、例えばメイン基板（マザーボード）である。回路基板２１は、水平に寝かされた姿勢で筐体５内に収められている。
【００１８】
回路基板２１には、発熱部品２５が実装されている。発熱部品２５は、使用時に熱を発する電子部品であり、例えばＣＰＵ、グラフィックチップ、ノース・ブリッジ（登録商標）、またはメモリなどが具体例として挙げられる。ただし発熱部品２５は、上記の例に限らず、放熱が望まれる種々の部品が適宜該当する。発熱部品２５には、例えば金属板で形成された受熱部材２６が熱接続されている。
【００１９】
図２および図３に示すように、冷却ファン２２は、遠心タイプのファンであり、ファンブレード２８（羽根車）と、ファンケース２９とを有している。冷却ファン２２は、図示しない固定構造により、筐体５に固定されている。ファンブレード２８は、複数の羽根を有するとともに、図示しないモータにより回転駆動され、当該ファンブレード２８の遠心方向に送風する。
【００２０】
ファンケース２９は、箱状に形成され、上記ファンブレード２８を収容している。ファンケース２９は、上面部２９ａ、下面部２９ｂ、および側面部２９ｃを有する。上面部２９ａおよび下面部２９ｂは、ファンブレード２８の上方または下方に配置され、ファンブレード２８の軸心方向からファンブレード２８に対向している。
【００２１】
上面部２９ａおよび下面部２９ｂは、それぞれ板状に形成され、水平方向に広がっている。上面部２９ａおよび下面部２９ｂには、それぞれ吸気口部２２ａが開口している。側面部２９ｃは、上面部２９ａの縁部と下面部２９ｂの縁部との間を鉛直方向に延びた起立壁である。側面部２９ｃは、排気口部２２ｂを有する。排気口部２２ｂは、ファンブレード２８の回転中心から見た、ファンブレード２８の遠心方向に開口している。冷却ファン２２は、吸気口部２２ａを通じて筐体５内の空気を吸い込み、その吸い込んだ空気をヒートシンク２３に向けて吐出する。これにより冷却ファン２２は、ヒートシンク２３を冷却する。
【００２２】
図２ないし図４に示すように、ヒートシンク２３は、例えば金属製の複数のフィンが並べられたフィンユニットである。ヒートシンク２３は、冷却ファン２２の排気口部２２ｂに沿って配置され、冷却ファン２２の排気口部２２ｂに対向している。ヒートシンク２３は、冷却ファン２２の排気口部２２ｂと、後述するカバー４１の排気孔部４３との間に配置されている。ヒートシンク２３は、冷却ファン２２の排気口部２２ｂに対向した吸込面２３ａと、後述するカバー４１の排気孔部４３に対向した排気面２３ｂとを有する。
【００２３】
熱輸送部材２４の一例は、ヒートパイプである。熱輸送部材２４は、受熱端部２４ａと放熱端部２４ｂとを有する。受熱端部２４ａは、受熱部材２６を介在させて発熱部品２５に熱接続されている。放熱端部２４ｂは、ヒートシンク２３に熱接続されている。熱輸送部材２４は、受熱端部２４ａで受熱した熱の一部を放熱端部２４ｂまで移動させる。すなわち熱輸送部材２４は、発熱部品２５の発した熱の一部をヒートシンク２３へ移動させる。
【００２４】
図４に示すように、上壁６は、本発明でいう「第１の壁部」の一例である。上壁６は、ヒートシンク２３よりも上方に位置し、略水平に広がっている。下壁８は、本発明でいう「第２の壁部」の一例である。下壁８は、ヒートシンク２３よりも下方に位置し、略水平に広がっている。すなわち下壁８は、ヒートシンク２３に対して上壁６とは反対側に位置している。右側壁１６は、本発明でいう「第３の壁部」の一例である。右側壁１６は、上壁６の端部と下壁８の端部との間に起立して延びている。
【００２５】
なお、上壁６および下壁８（すなわち第１および第２の壁部）は、それぞれ例えば一部または全部が傾斜していてもよい。右側壁１６（すなわち第３の壁部）は、筐体５の厚さに対して部分的に設けられていてもよい。
【００２６】
図３に示すように、筐体５は、開口部３１を有する。開口部３１は、右側壁１６に跨って上壁６から下壁８に亘って切り欠かれている。すなわち開口部３１は、上壁６を切り欠いた第１の切欠き３１ａと、下壁８を切り欠いた第２の切欠き３１ｂと、右側壁１６を切り欠いた第３の切欠き３１ｃとを含んでおり、これら第１ないし第３の切欠き３１ａ，３１ｂ，３１ｃが互いに連続することで形成されている。これにより、開口部３１は、上壁６、右側壁１６、下壁８に亘って連続して形成されている。
【００２７】
図２ないし図４に示すように、開口部３１は、ヒートシンク２３の少なくとも一部を筐体５の外部に露出させるように開口している。本実施形態に係る第１の切欠き３１ａは、ヒートシンク２３の全体の上方を切り欠いている。第２の切欠き３１ｂは、ヒートシンク２３の全体の下方を切り欠いている。第３の切欠き３１ｃは、ヒートシンク２３の全体の側方を切り欠いている。これにより、本実施形態ではヒートシンク２３の全体が、開口部３１を通じて、上方、下方、および側方の３方向に露出される。
【００２８】
さらに開口部３１は、冷却ファン２２の少なくとも一部を筐体５の外部に露出させるように開口している。本実施形態に係る第１の切欠き３１ａは、冷却ファン２２の全体の上方を切り欠いている。第２の切欠き３１ｂは、冷却ファン２２の全体の下方を切り欠いている。第３の切欠き３１ｃは、冷却ファン２２の全体の側方を切り欠いている。これにより、本実施形態では冷却ファン２２の全体が、開口部３１を通じて、上方、下方、および側方の３方向に露出される。
【００２９】
図１ないし図４に示されるように、筐体５の開口部３１には、この開口部３１を塞ぐカバー４１が着脱自在に取り付けられている。カバー４１は、第１の部分４１ａ、第２の部分４１ｂ、および第３の部分４１ｃを有する。
【００３０】
第１の部分４１ａは、第１の切欠き３１ａに嵌められ（すなわち挿入され）、上壁６に合わされる。第１の部分４１ａは、ヒートシンク２３の少なくとも一部および冷却ファン２２の少なくとも一部に上方から対向する。本実施形態に係る第１の部分４１ａは、ヒートシンク２３の全体および冷却ファン２２の全体に上方から対向し、第１の切欠き３１ａを塞ぐ。なお本発明でいう「壁部に合わされる」とは、その壁部と協働して一つの壁面を形成することをいう。
【００３１】
第２の部分４１ｂは、第２の切欠き３１ｂに嵌められ（すなわち挿入され）、下壁８に合わされる。第２の部分４１ｂは、ヒートシンク２３の少なくとも一部および冷却ファン２２の少なくとも一部に下方から対向する。すなわち、第２の部分４１ｂは、第１の部分４１ａとは反対側からヒートシンク２３および冷却ファン２２に対向する。本実施形態に係る第２の部分４１ｂは、ヒートシンク２３の全体および冷却ファン２２の全体に下方から対向し、第２の切欠き３１ｂを塞ぐ。
【００３２】
第３の部分４１ｃは、第３の切欠き３１ｃに嵌められ（すなわち挿入され）、右側壁１６に合わされる。第３の部分４１ｃは、ヒートシンク２３の全体に側方から対向し、第３の切欠き３１ｃを塞ぐ。すなわちカバー４１は、上壁６、右側壁１６および下壁８に跨るように、断面が日本語片仮名のコの字状に形成されている。
【００３３】
図４に示すように、第３の部分４１ｃは、例えば複数の排気孔部４３を有する。排気孔部４３は、ヒートシンク２３を間に挟んで、冷却ファン２２の排気口部２２ｂに対向している。冷却ファン２２から吐出され、ヒートシンク２３を通過した空気は、この排気孔部４３から筐体５の外部へ排気される。一方、第２の部分４１ｂは、例えば複数の吸気孔部４４を有する。吸気孔部４４は、例えば冷却ファン２２およびヒートシンク２３の下方に設けられている。冷却ファン２２が駆動されると、この吸気孔部４４を通じて、外部の空気が筐体５の内部に取り込まれる。なお吸気孔部４４は、第２の部分４１ｂに代えて、または第２の部分４１ｂに加えて、第１の部分４１ａに設けられていてもよい。
【００３４】
図５に示すように、カバー４１の第１の部分４１ａは、上壁６に係合する第１の係合部４５を有する。カバー４１の第２の部分４１ｂは、下壁８に係合する第２の係合部４６を有する。第１および第２の係合部４５，４６は、互いに向き合うように、それぞれカバー４１の内側に向いて突出した爪部である。カバー４１は、例えば合成樹脂材料などで形成され、弾性を有する。なお筐体５は、合成樹脂製であってもよく、金属製であってもよい。
【００３５】
図５に示すように、上壁６は、カバー４１の第１の係合部４５が係合する第１の被係合部５１を有する。下壁８は、カバー４１の第２の係合部４６が係合する第２の被係合部５２を有する。第１および第２の被係合部５１，５２は、それぞれカバー４１の爪部が引っ掛かるように、筐体５の内側に窪んだ凹部である。図４に示すように、カバー４１は、当該カバー４１の弾性力で第１および第２の係合部４５，４６を当該カバー４１の内側に向いて付勢する。すなわち、第１および第２の係合部４５，４６を第１および第２の被係合部５１，５２に押し当てる。これによりカバー４１は、当該カバー４１の弾性力により筐体５に固定される。
【００３６】
次に、電子機器１の作用について説明する。  
電子機器１を長期間使用すると、冷却ファン２２やヒートシンク２３に埃Ｄが溜まる。この埃Ｄは、ヒートシンク２３の排気面２３ｂや吸込面２３ａ、冷却ファン２２の羽根などに比較的よく溜まる（図６参照）。
【００３７】
この埃Ｄを取り除く作業は、例えばユーザーがセルフクリーニングで行うことができる。すなわち、図５に示すようにカバー４１を筐体５から取り外すことで、図６に示すように、ヒートシンク２３の全体および冷却ファン２２の全体を、上方、下方、側方を含む３方向に露出させる。
【００３８】
この状態で、例えばエアスプレーＳなどにより圧縮空気を吹き付けることで、またはブラシやピンセットのような清掃用具を用いた清掃作業を行うことで、ヒートシンク２３および冷却ファン２２に付着した埃を除去する。例えばヒートシンク２３や冷却ファン２２に対して上方から清掃作業を行い、ヒートシンク２３や冷却ファン２２に付着していた埃を、そのまま下方に落下させる。これにより、取れた埃は筐体５内に残らない。
【００３９】
上記構成に係る電子機器１によれば、ヒートシンク２３または冷却ファン２２に付着した埃を容易に取り除くことができる。すなわち、筐体５の右側壁１６に跨って上壁６から下壁８に亘って切り欠かれた開口部３１と、この開口部３１に着脱自在に取り付けられ、上記開口部３１を塞ぐカバー４１とを備えた電子機器１によれば、カバー４１を取り外すことで、ヒートシンク２３や冷却ファン２２を、上方、下方、側方を含む３方向に露出させることができる。
【００４０】
このため、清掃作業の自由度が高く、さらには細かいところまで直接に目で見て確認し、埃が溜まっている箇所を直接に清掃することができる。そして、例えばヒートシンク２３や冷却ファン２２に対して上方から清掃作業を行うと、ヒートシンク２３や冷却ファン２２から取れた埃は、筐体５内に残らずにそのまま下方に排出される。
【００４１】
つまり、筐体の下壁のみに開口した開口部に対してブラシやピンセットを差し込んで清掃作業を行おうときのような、ヒートシンクなどに付着した埃が筐体のさらに内側に押し込んでしまうといったおそれが小さく、容易に埃を取り除くことができる。
【００４２】
本実施形態では、カバー４１が、上壁６に係合した第１の係合部４５と、下壁８に係合した第２の係合部４６とを有し、当該カバー４１の弾性力で筐体５に固定されている。このような構成によれば、カバー４１の形状を活かして、ねじなどの固定部材を省略することができ、電子機器の低コスト化や組立作業の効率化を図ることができる。なお、カバー４１は、必ずしも弾性力で筐体５に固定される必要は無く、例えばねじなどにより固定されてもよい。
【００４３】
次に、図７を参照し、本発明の第１の実施形態に係る電子機器１の変形例について説明する。図７に示すように、本変形例に係る第１および第２の係合部４５，４６は、それぞれカバー４１の外側に向いて突出した爪部である。第１および第２の被係合部５１，５２は、それぞれカバー４１の爪部が引っ掛かるように、筐体５の外側に窪んだ凹部である。
【００４４】
図７に示すように、カバー４１は、当該カバー４１の弾性力で第１および第２の係合部４５，４６を当該カバー４１の外側に向いて付勢する。すなわち、第１および第２の係合部４５，４６を第１および第２の被係合部５２に押し当てる。これによりカバー４１は、当該カバー４１の弾性力により筐体５に固定される。このような構成によっても、上記第１の実施形態と同様の効果を得ることができる。
【００４５】
（第２の実施形態）  
次に、本発明の第２の実施形態に係る電子機器１について、図８を参照して説明する。なお上記第１の実施形態の構成と同一または類似の機能を有する構成は、同一の符号を付してその説明を省略する。また下記に説明する以外の構成は、上記第１の実施形態と同じである。
【００４６】
図８に示すように、カバー４１は、排気孔部４３に取り付けられた第１の防塵フィルタ７１と、吸気孔部４４に取り付けられた第２の防塵フィルタ７２とを有している。吸気孔部４４および排気孔部４３は、それぞれ本発明でいう「通気孔部」の一例である。
【００４７】
第１の防塵フィルタ７１は、例えば排気孔部４３に対して筐体５の内側から取り付けられている。第２の防塵フィルタ７２は、例えば吸気孔部４４に対して筐体５の外側から取り付けられている。第１および第２の防塵フィルタ７１，７２は、それぞれ自身を通過する空気中の埃を除去する集塵フィルタである。
【００４８】
このような構成によれば、上記第１の実施形態と同様に、ヒートシンク２３または冷却ファン２２に付着した埃を容易に取り除くことができる。さらに、カバー４１が筐体５から取り外すことで、防塵フィルタ７１，７２を容易に清掃することができる。これにより、防塵フィルタ７１，７２の根詰まりなどを防止し、電子機器１の冷却性能が低下することを防ぐことができる。
【００４９】
特に、カバー４１が筐体５から取り外せると、通風孔部に対して筐体５の内側から取り付けられた防塵フィルタ７１をも容易に清掃することができる。なお、第２の防塵フィルタ７２は、例えば吸気孔部４４に対して筐体５の内側から取り付けられていてもよい。
【００５０】
（第３の実施形態）  
次に、本発明の第３の実施形態に係る電子機器１について、図９を参照して説明する。なお上記第１の実施形態の構成と同一または類似の機能を有する構成は、同一の符号を付してその説明を省略する。また下記に説明する以外の構成は、上記第１の実施形態と同じである。
【００５１】
図９に示すように、本実施形態に係るカバー４１の第１の部分４１ａは、キーボード９の下方に位置し、キーボード９の一部を下方から支持している。すなわちカバー４１の第１の部分４１ａは、キーボード９が載置される載置面の一部を形成している。
【００５２】
キーボード９は、図示しないキーボード固定部材により筐体５に対して固定されている。筐体５に固定されたキーボード９は、カバー４１が筐体５から外れないようにカバー４１を保持している。例えば本実施形態では、キーボード９は、カバー４１の第１の係合部４５を第１の被係合部５１に向けて押さえ込んでいる。キーボード９が筐体５から取り外されると、カバー４１が筐体５から取り外し可能になる。
【００５３】
このような構成によれば、上記第１の実施形態と同様に、ヒートシンク２３または冷却ファン２２に付着した埃を容易に取り除くことができる。さらに、カバー４１の第１の部分４１ａが、キーボード９の下方に位置してキーボード９の一部を支持すると、筐体５と側部（例えば右側壁１６）とキーボード９の側縁部との間の距離が小さいような比較的小型の電子機器においても本発明の構造を適用することができる。さらに、キーボード９がカバー４１を押さえていると、カバー４１が筐体５からさらに不用意に外れにくくなる。
【００５４】
（第４の実施形態）  
次に、本発明の第４の実施形態に係る電子機器１について、図１０を参照して説明する。なお上記第１の実施形態の構成と同一または類似の機能を有する構成は、同一の符号を付してその説明を省略する。また下記に説明する以外の構成は、上記第１の実施形態と同じである。
【００５５】
図１０に示すように、本実施形態に係る第１の切欠き３１ａは、ヒートシンク２３の全体の上方を切り欠くとともに、冷却ファン２２の上方までは達していない。第２の切欠き３１ｂは、ヒートシンク２３の全体の下方を切り欠くとともに、冷却ファン２２の下方までは達していない。カバー４１の第１および第２の部分４１ａ，４１ｂは、それぞれヒートシンク２３の全体に対向するとともに、冷却ファン２２には対向しない。
【００５６】
このような構成によっても、上記第１の実施形態と同様に、ヒートシンク２３に付着した埃を容易に取り除くことができる。
【００５７】
（第５の実施形態）  
次に、本発明の第５の実施形態に係る電子機器１について、図１１および図１２を参照して説明する。なお上記第１の実施形態の構成と同一または類似の機能を有する構成は、同一の符号を付してその説明を省略する。また下記に説明する以外の構成は、上記第１の実施形態と同じである。
【００５８】
図１２に示すように、後壁１７は、本発明でいう「第３の壁部」の一例である。後壁１７は、上壁６の端部と下壁８の端部との間に起立して延びている。後壁１７は、筐体５の厚さに対して部分的に設けられていてもよい。
【００５９】
図１１および図１２に示すように、開口部３１は、後壁１７に跨って上壁６から下壁８に亘って切り欠かれている。すなわち開口部３１は、上壁６を切り欠いた第１の切欠き３１ａと、下壁８を切り欠いた第２の切欠き３１ｂと、後壁１７を切り欠いた第３の切欠き３１ｃとを含んでおり、これら第１ないし第３の切欠き３１ａ，３１ｂ，３１ｃが互いに連続することで形成されている。これにより、開口部３１は、上壁６、後壁１７、および下壁８に亘って形成されている。
【００６０】
開口部３１は、冷却ファン２２の少なくとも一部を筐体５の外部に露出させるように形成されている。本実施形態に係る第１の切欠き３１ａは、冷却ファン２２の全体の上方を切り欠くとともに、ヒートシンク２３の上方には達していない。第２の切欠き３１ｂは、冷却ファン２２の全体の下方を切り欠くとともに、ヒートシンク２３の下方には達していない。第３の切欠き３１ｃは、冷却ファン２２の全体の側方を切り欠いている。これにより、本実施形態では冷却ファン２２の全体が、開口部３１を通じて、上方、下方、および側方の３方向に露出される。
【００６１】
カバー４１の第１の部分４１ａは、第１の切欠き３１ａに嵌められ、上壁６に合わされる。第１の部分４１ａは、冷却ファン２２の全体に対向するとともに、ヒートシンク２３には対向しない。第２の部分４１ｂは、第２の切欠き３１ｂに嵌められ、下壁８に合わされる。第２の部分４１ｂは、第１の部分４１ａとは反対側から冷却ファン２２に対向する。第２の部分４１ｂは、ヒートシンク２３の全体に対向するとともに、ヒートシンク２３には対向しない。第３の部分４１ｃは、第３の切欠き３１ｃに嵌められ、後壁１７に合わされる。排気孔部４３は、筐体５の左側壁１５に設けられている。
【００６２】
このような構成によっても、上記第１の実施形態と同様に、冷却ファン２２に付着した埃を容易に取り除くことができる。
【００６３】
（第６の実施形態）  
次に、本発明の第６の実施形態に係る電子機器１について、図１３ないし図１５を参照して説明する。なお上記第１の実施形態の構成と同一または類似の機能を有する構成は、同一の符号を付してその説明を省略する。また下記に説明する以外の構成は、上記第１の実施形態と同じである。
【００６４】
図１３に示すように、後壁１７は、本発明でいう「第４の壁部」の一例である。後壁１７は、右側壁１６と交差する方向（例えば直交する方向）に延びている。後壁１７は、右側壁１６に隣接して、上壁６の端部と下壁８の端部との間に起立して延びている。後壁１７は、右側壁１６と協働して筐体５の角部（コーナー部）を形成している。なお後壁１７は、筐体５の厚さに対して部分的に設けられていてもよい。
【００６５】
図１４に示すように、開口部３１は、上壁６、右側壁１６、後壁１７、および下壁８を連続して切り欠き、すなわち筐体５の角部を切り欠いている。すなわち開口部３１は、上壁６を切り欠いた第１の切欠き３１ａと、下壁８を切り欠いた第２の切欠き３１ｂと、右側壁１６を切り欠いた第３の切欠き３１ｃ、後壁１７を切り欠いた第４の切欠き３１ｄとを含んでおり、これら第１ないし第４の切欠き３１ａ，３１ｂ，３１ｃ，３１ｄが互いに連続することで形成されている。これにより、開口部３１は、上壁６、右側壁１６、後壁１７、下壁８に亘って形成されている。
【００６６】
図１４に示すように、本実施形態に係るカバー４１は、第１ないし第３の部分４１ａ，４１ｂ，４１ｃに加えて、第４の部分４１ｄを有する。第４の部分４１ｄは、第４の切欠き３１ｄに嵌められ（すなわち挿入され）、後壁１７に合わされる。第４の部分４１ｄは、第３の部分３１ｃとは異なる方向（例えば直交する方向）からヒートシンク２３および冷却ファン２２に対向し、第４の切欠き３１ｄを塞ぐ。第４の部分４１ｄは、第３の部分４１ｃと交差する方向（例えば直交する方向）に延びている。
【００６７】
第１および第２の部分４１ａ，４１ｂのそれぞれ一つの端部（縁部）は、第３の部分４１ｃによって互いに繋がっており、第３の部分４１ｃにより支持されている。第１および第２の部分４１ａ，４１ｂのそれぞれ他の一つの端部（縁部）は、第４の部分４１ｄによって互いに繋がっており、第４の部分４１ｄにより支持されている。すなわち、第１および第２の部分４１ａ，４１ｂは、互いに異なる方向に延びた２つの壁部４１ｃ，４１ｄによって支持されている。
【００６８】
図１４および図１５に示すように、上壁６は、カバー４１の第１の部分４１ａを案内する第１のガイド部８１を有する。下壁８は、カバー４１の第２の部分４１ｂを案内する第２のガイド部８２を有する。第１および第２のガイド部８１，８２は、例えば筐体５の奥行き方向に延びた溝部を含み、カバー４１のスライド移動を案内する。
【００６９】
カバー４１の第１の部分４１ａは、第１のガイド部８１に案内される第１の摺動部８３を有する。カバー４１の第２の部分４１ｂは、第２のガイド部８２に案内される第２の摺動部８４を有する。第１および第２の摺動部８３，８４は、それぞれガイド部８１，８２の溝部に挿入される突起部である。カバー４１は、第３の部分４１ｃから第１の部分４１ａが延びた方向に対して直交する方向に沿って第１および第２のガイド部８１，８２に案内される。カバー４１は、第１および第２のガイド部８１，８２に沿ってスライドされることで、開口部３１に対して着脱される。
【００７０】
このような構成によれば、上記第１の実施形態と同様に、ヒートシンク２３および冷却ファン２２に付着した埃を容易に取り除くことができる。第１および第２の部分４１ａ，４１ｂのそれぞれ一つの端部が第３の部分４１ｃに支持され、第１および第２の部分４１ａ，４１ｂのそれぞれ他の一つの端部が第４の部分４１ｄに支持されていると、第１および第２の部分４１ａ，４１ｂの支持構造が比較的大きな剛性を有し、第１および第２の部分４１ａ，４１ｂが安定して支持される。
【００７１】
さらに、筐体５の角部は、電子機器１を誤って落下させたときなどに破損しやすい。筐体５の角部にカバー４１が取り付けられていると、破損したカバー４１を新しいものに取り替えることで修理が可能であるので、修理コストを低くすることができる。
【００７２】
筐体５がカバー４１を案内するガイド部８１，８２を有し、カバー４１がガイド部８１，８２に沿ってスライドして開口部３１に着脱されると、カバー４１が取り付けやすく、清掃作業の効率が高まる。
【００７３】
（第７の実施形態）  
次に、本発明の第７の実施形態に係る電子機器１について、図１６を参照して説明する。なお上記第１の実施形態の構成と同一または類似の機能を有する構成は、同一の符号を付してその説明を省略する。また下記に説明する以外の構成は、上記第１の実施形態と同じである。
【００７４】
図１６に示すように、上壁６は、冷却ファン２２のファンケース２９に向いて延びた第１のリブ９１を有する。下壁８は、冷却ファン２２のファンケース２９に向いて延びた第２のリブ９２を有する。第１および第２のリブ９１，９２は、それぞれ、冷却ファン２２の吸気口部２２ａよりも筐体５の内側に位置し、筐体５の内面と冷却ファン２２との間の隙間に対向している。第１および第２のリブ９１，９２は、それぞれ本発明でいう「堤部」の一例であり、清掃作業において冷却ファン２２やヒートシンク２３から舞い上がる埃が筐体５の内部へ侵入しないように埃の動きを遮る壁部である。第１および第２のリブ９１，９２の大きさや位置、形状は、上記目的に沿って適宜設定される。
【００７５】
このような構成によれば、上記第１の実施形態と同様に、ヒートシンク２３および冷却ファン２２に付着した埃を容易に取り除くことができる。さらに冷却ファン２２やヒートシンク２３の清掃作業として、例えばエアスプレーのような埃が飛散するような清掃作業を採用したとしても、埃が筐体５の内側へ侵入することを抑制することができる。なお、第１および第２のリブ９１，９２は、冷却ファン２２に向かって延びていることに代えて、回路基板２１に向いて延びていてもよい。
【００７６】
次に、図１７を参照し、本発明の第７の実施形態に係る電子機器１の一つの変形例について説明する。図１７に示すように、本変形例に係る電子機器１は、第１および第２のリブ９１，９２に代えて、上壁６と冷却ファン２２のファンケース２９との間に介在された第１のスポンジ部材９３と、下壁８と冷却ファン２２のファンケース２９との間に介在された第２のスポンジ部材９４とを備える。第１および第２のスポンジ部材９３，９４は、それぞれ、冷却ファン２２の吸気口部２２ａよりも筐体５の内側に位置し、筐体５の内面と冷却ファン２２との間の隙間に対向している。第１および第２のスポンジ部材９３，９４は、それぞれ本発明でいう「堤部」の一例である。このような構造でも、上記第７の実施形態と同様の効果を得ることができる。なお第１および第２のスポンジ部材９３，９４は、それぞれ筐体５の内面と回路基板２１との間に配置されていてもよい。
【００７７】
以上、本発明の第１ないし第９の実施形態に係る電子機器１について説明したが、本発明はこれらに限定されるものではない。第１ないし第９の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【００７８】
上記第１ないし第９の実施形態では、「第３の壁部」や「第４の壁部」として右側壁１６や後壁１７をそれぞれその一例として説明したが、本発明はこれに限られるものではない。「第３の壁部」や「第４の壁部」としては、それぞれ前壁１４、左側壁１５、右側壁１６、および後壁１７のいずれでもよく、さらにはこれら以外の壁部であってもよい。また「第１の壁部」、「第２の壁部」も上壁６や下壁８に限られるものではない。
【００７９】
開口部３１は、上記第１ないし第９の実施形態において、ヒートシンク２３の全体を露出させるものに限られず、ヒートシンク２３の一部のみを露出させるものでもよい。例えば第５の実施形態では、開口部３１は、ヒートシンク２３を露出させてもよく、露出させなくもよい。カバー４１の第１および第２の部分４１ａ，４１ｂは、それぞれヒートシンク２３の一部のみに対向するものでもよく、さらに例えば第５の実施形態ではヒートシンク２３に対向しなくてもよい。
【００８０】
開口部３１は、上記第１ないし第９の実施形態において、冷却ファン２２の全体を露出させるものに限られず、冷却ファン２２の一部のみを露出させるものでもよい。例えば第４の実施形態では、開口部３１は、冷却ファン２２を露出させてもよく、露出させなくもよい。カバー４１の第１および第２の部分４１ａ，４１ｂは、それぞれ冷却ファン２２の一部のみに対向するものでもよく、さらに例えば第４の実施形態では冷却ファン２２に対向しなくてもよい。ガイド部８１，８２は、いずれか一つでもよい。リブ９１，９２は、いずれか一つだけでもよい。スポンジ部材９３，９４は、いずれか一つだけでもよい。
【符号の説明】
【００８１】
１…電子機器、５…筐体、６…上壁（第１の壁部）、８…下壁（第２の壁部）、９…キーボード、１６…右側壁（第３の壁部）、１７…後壁（第４の壁部）、２２…冷却ファン、２３…ヒートシンク、３１…開口部、４１…カバー、４１ａ…第１の部分、４１ｂ…第２の部分、４１ｃ…第３の部分、４１ｄ…第４の部分、４３…排気孔部、４５…第１の係合部、４６…第２の係合部、７１…防塵フィルタ、８１，８２…ガイド部、９１，９２…リブ（堤部）。
【図１】
2010224587.tif 000003
【図２】
2010224587.tif 000004
【図３】
2010224587.tif 000005
【図４】
2010224587.tif 000006
【図５】
2010224587.tif 000007
【図６】
2010224587.tif 000008
【図７】
2010224587.tif 000009
【図８】
2010224587.tif 000010
【図９】
2010224587.tif 000011
【図１０】
2010224587.tif 000012
【図１１】
2010224587.tif 000013
【図１２】
2010224587.tif 000014
【図１３】
2010224587.tif 000015
【図１４】
2010224587.tif 000016
【図１５】
2010224587.tif 000017
【図１６】
2010224587.tif 000018
【図１７】
2010224587.tif 000019
【手続補正書】
【提出日】平成22年6月25日(2010.6.25)
【手続補正１】
【補正対象書類名】明細書
【補正対象項目名】０００７
【補正方法】変更
【補正の内容】
【０００７】
本発明の一つの形態に係る電子機器は、ヒートシンクと、冷却ファンと、筐体と、カバーとを具備した。冷却ファンは、吸気口部が設けられた上面を有した。筐体は、前記ヒートシンク及び前記冷却ファンが収容され、第１の壁部と、前記ヒートシンク及び前記冷却ファンに対して前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記ヒートシンクの少なくとも一部を及び前記冷却ファンの上面を外部に露出させる開口部とを有している。カバーは、前記開口部に着脱可能に取り付けられている。このカバーは、前記第１の壁部に合わされ、前記ヒートシンクの少なくとも一部及び前記冷却ファンの上面の吸気口部に対向した第１の部分と、前記第２の壁部に合わされ、前記第１の部分とは反対側から前記ヒートシンクの少なくとも一部及び前記冷却ファンの少なくとも一部に対向した第２の部分と、前記第３の壁部に合わされた第３の部分とを有している。
【手続補正２】
【補正対象書類名】特許請求の範囲
【補正対象項目名】全文
【補正方法】変更
【補正の内容】
【特許請求の範囲】
【請求項１】
ヒートシンクと、
吸気口部が設けられた上面を有した冷却ファンと、
前記ヒートシンク及び前記冷却ファンが収容され、第１の壁部と、前記ヒートシンク及び前記冷却ファンに対して前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記ヒートシンクの少なくとも一部及び前記冷却ファンの上面を外部に露出させる開口部とを有した筐体と、
前記開口部に着脱可能に取り付けられ、前記第１の壁部に合わされ、前記ヒートシンクの少なくとも一部及び前記冷却ファンの上面の吸気口部に対向した第１の部分と、前記第２の壁部に合わされ、前記第１の部分とは反対側から前記ヒートシンクの少なくとも一部及び前記冷却ファンの少なくとも一部に対向した第２の部分と、前記第３の壁部に合わされた第３の部分とを有したカバーと、
を具備したことを特徴とする電子機器。
【請求項２】
請求項１の記載において、
前記冷却ファンは、他の吸気口部が設けられた下面を有し、
前記カバーの第２の部分は、前記冷却ファンの下面の吸気口部に対向したことを特徴とする電子機器。
【請求項３】
請求項１の記載において、
前記カバーは、前記第１の壁部に係合した第１の係合部と、前記第２の壁部に係合した第２の係合部とを有し、当該カバーの弾性力で前記筐体に固定されていることを特徴とする電子機器。
【請求項４】
請求項１の記載において、
前記カバーは、通風孔部と、前記通風孔部に取り付けられた防塵フィルタとを有したことを特徴とする電子機器。
【請求項５】
請求項１の記載において、
前記筐体に載置されたキーボードを備え、
前記カバーの第１の部分は、前記キーボードの下方に位置し、前記キーボードの一部を支持したことを特徴とする電子機器。
【請求項６】
請求項１の記載において、
前記筐体は、前記第３の壁部に隣接して前記第１の壁部と前記第２の壁部との間に延び、前記第３の壁部と協働して前記筐体の角部を形成した第４の壁部を有し、前記開口部は、前記角部を切り欠いており、
前記カバーは、前記第４の壁部に合わされ、前記第３の壁部とは異なる方向から前記ヒートシンクに対向した第４の部分を有し、前記第１の部分および前記第２の部分のそれぞれ一つの端部が前記第３の部分に支持され、前記第１の部分および前記第２の部分のそれぞれ他の一つの端部が前記第４の部分に支持されたことを特徴とする電子機器。
【請求項７】
請求項１の記載において、
前記筐体は、前記カバーを案内するガイド部を有し、
前記カバーは、前記ガイド部に沿ってスライドして前記開口部に着脱されることを特徴とする電子機器。
【請求項８】
請求項１の記載において、
前記筐体の内面と前記冷却ファンとの間の隙間に対向した堤部を有したことを特徴とする電子機器。
【請求項９】
吸気口部が設けられた上面を有した冷却ファンと、
前記冷却ファンが収容され、第１の壁部と、前記第１の壁部とは反対側に位置した第２の壁部と、前記第１の壁部と前記第２の壁部との間に延びた第３の壁部と、前記第３の壁部に跨って前記第１の壁部から前記第２の壁部に亘って切り欠かれ、前記冷却ファンの上面を外部に露出させる開口部とを有した筐体と、
前記開口部に着脱可能に取り付けられ、前記第１の壁部に合わされ、前記冷却ファンの上面の吸気口部に対向した第１の部分と、前記第２の壁部に合わされ、前記第１の部分とは反対側から前記冷却ファンの少なくとも一部に対向した第２の部分と、前記第３の壁部に合わされた第３の部分とを有したカバーと、
を具備したことを特徴とする電子機器。
【請求項１０】
請求項９の記載において、
前記カバーは、前記第１の壁部に係合した第１の爪部と、前記第２の壁部に係合した第２の爪部とを有し、当該カバーの弾性力で前記筐体に固定されていることを特徴とする電子機器。